(57)【要約】【課題】各種電子機器に使用されるロック機構及びこれを用いたスイッチに関し、省電力化・消音化が図れるものを提供することを目的とする。【解決手段】作動体２５が所定距離移動した時に、カム２５Ｂに噛合して作動体２５をロックさせるストッパ２７を、形状記憶部材２８を用いてカム２５Ｂとは逆方向へ付勢して、ロックを解除するようにロック機構３２を構成することによって、小さな電力でも電源のオートＯＦＦ操作が可能で、省電力化・消音化が図れるロック機構３２、及びこれを用いたスイッチ３３と電子機器を得ることができる。【選択図】  図１
2004327384.tif 000002
【特許請求の範囲】
【請求項１】
カムを備えた作動体と、この作動体を所定方向へ付勢するばねと、上記作動体がこのばねを撓めながら所定距離移動した時に、上記カムに噛合して作動体をロックするストッパと、所定電力の印加によって上記ストッパを上記カムとは逆方向へ付勢して、ロックを解除する形状記憶部材からなるロック機構。
【請求項２】
形状記憶部材を線状に形成し、これをカムとストッパの間に配置した請求項１記載のロック機構。
【請求項３】
請求項１記載のロック機構と、作動体の移動によって電気的接離を行うスイッチ接点から形成されたスイッチ。
【請求項４】
請求項３記載のスイッチと、受信装置に接続された制御装置からなり、上記受信装置が遠隔操作信号を受信すると、上記制御装置がこれを検出し、上記スイッチの形状記憶部材へ電力を印加して、スイッチの電気的接離を行う電子機器。
【発明の詳細な説明】
【０００１】
【発明の属する技術分野】
本発明は、テレビやビデオ、オーディオ等の各種電子機器に使用されるロック機構及びこれを用いたスイッチと電子機器に関するものである。
【０００２】
【従来の技術】
近年、各種電子機器の様々な機能の操作を、リモコン送信機を用いて遠隔操作できるものが増えるなか、手動操作によって電源のＯＮ／ＯＦＦを切換えることに加え、電源のＯＦＦを遠隔操作によって行える、所謂オートＯＦＦ機能を備えたスイッチが考えられている。
【０００３】
このような、オートＯＦＦ機能を備えた従来のスイッチについて、図６を用いて説明する。
【０００４】
図６は従来のスイッチの断面図であり、同図において、１は絶縁樹脂製で箱型のケース、２はこのケース１の内底面に植設された共通接点、３は同じく固定接点で、共通接点２上部には弾性金属薄板製の可動接点４が、ばね部４Ａをやや撓めた状態で揺動可能に係止されて、スイッチ接点が形成されている。
【０００５】
そして、５はケース１内に移動可能に収納された作動体で、操作部５Ａがケース１右側面から突出すると共に、上面に設けられた略ハート形のカム５Ｂには、一端が回動可能に保持された略コの字状のストッパ６の他端が弾接して、ロック機構が形成されている。
【０００６】
また、７はケース１内にスイッチ接点とは反対側に収納されたソレノイドで、電磁コイル８と固定鉄心９や、コイルばね１０によってスイッチ接点方向へ付勢され、枠体１１内に移動可能に装着された可動鉄心１２から形成されている。
【０００７】
さらに、可動鉄心１２端部が作動体５左端部に結合されると共に、これらスイッチ接点や作動体５、ソレノイド７を収納したケース１上面をカバー１３が覆って、スイッチが構成されている。
【０００８】
そして、このように構成されたスイッチは、半田付け等によって、共通接点２と固定接点３が電子機器の電源回路（図示せず）に、電磁コイル８は受信装置に接続された制御装置（図示せず）等に電気的に接続される。
【０００９】
以上の構成において、作動体５の操作部５Ａを手で押圧操作すると、作動体５がケース１内を左方向へ移動し、この下面が可動接点４を押圧するため、可動接点４が揺動して固定接点３に接触し、機器の電源がＯＮとなる。
【００１０】
また、この時、ストッパ６の端部も作動体５上面のカム５Ｂ内を弾接摺動し、作動体５がコイルばね１０を撓めながら所定距離移動すると、略ハート形のカム５Ｂにストッパ６が噛合し、その位置で作動体５がロックされ、電源ＯＮの状態が保持される。
【００１１】
そして、再度、操作部５Ａを押圧操作すると、ストッパ６がカム５Ｂから外れてロックが解除されるため、作動体５がコイルばね１０に付勢されて図６の状態に戻り、可動接点４も固定接点３から離れて、機器の電源がＯＦＦとなる。
【００１２】
また、このような手動操作に加え、作動体５がロックされた電源ＯＮの状態から、リモコン送信機による電源ＯＦＦの遠隔操作が行われた場合には、機器の受信装置がこのリモコン送信機からの遠隔操作信号を受信し、制御装置がこれを検出して、所定時間ソレノイド７の電磁コイル８へ電力が印加される。
【００１３】
これによって、枠体１１の周囲に磁界が発生し、固定鉄心９と可動鉄心１２の間に吸引力が生じるため、可動鉄心１２がコイルばね１０を撓めながら固定鉄心９の方向へ移動し、端部が可動鉄心１２に結合された作動体５も移動する。
【００１４】
そして、可動鉄心１２が固定鉄心９に当接するまで作動体５が移動すると、上記手動操作の場合と同様に、ストッパ６がカム５Ｂから外れてロックが解除され、作動体５がコイルばね１０に付勢されて図６の状態に戻り、可動接点４も固定接点３から離れることによって、機器の電源がＯＦＦとなる。
【００１５】
以上のように、手動操作によって電源のＯＮ／ＯＦＦを切換えることに加え、リモコン送信機を用いた遠隔操作によって、機器の電源のオートＯＦＦが行われるように構成されているものであった。
【００１６】
なお、この出願の発明に関連する先行技術文献情報としては、例えば、特許文献１が知られている。
【００１７】
【特許文献１】
特開平１１−３２９１９９号公報
【００１８】
【発明が解決しようとする課題】
しかしながら、上記従来のスイッチにおいては、リモコン送信機の遠隔操作による電源のオートＯＦＦを、ソレノイド７の電磁コイル８へ電力を印加して行っているが、このようなソレノイド７を動作させるには２０〜３０Ｖ・１〜２Ａ程度の電圧電流が必要であるため、電力の消費が大きく、また、可動鉄心１２が固定鉄心９に当接する際、耳障りで大きな音が発生するという課題があった。
【００１９】
本発明は、このような従来の課題を解決するものであり、小さな電力でも動作が可能で、省電力化・消音化が図れるロック機構及びこれを用いたスイッチと電子機器を提供することを目的とする。
【００２０】
【課題を解決するための手段】
上記目的を達成するために本発明は、以下の構成を有するものである。
【００２１】
本発明の請求項１に記載の発明は、作動体が所定距離移動した時に、カムに噛合して作動体をロックさせるストッパを、形状記憶部材によりカムとは逆方向へ付勢することによって、ロックを解除するようにしてロック機構を構成したものであり、少ない電力の印加で形状記憶部材を元の形状へ復帰させ、作動体のカムからストッパを外してロックを解除しているため、小さな電力でも動作が可能で、省電力化・消音化が図れるロック機構を得ることができるという作用を有する。
【００２２】
請求項２に記載の発明は、請求項１記載の発明において、形状記憶部材を線状に形成し、これをカムとストッパの間に配置したものであり、形状記憶部材を簡素な形状で形成できるため、組立も容易で安価なロック機構とすることができるという作用を有する。
【００２３】
請求項３に記載の発明は、請求項１記載のロック機構の作動体の移動によってスイッチ接点の電気的接離を行うようにしてスイッチを構成したものであり、省電力化・消音化が図れ、オートＯＦＦ操作が可能なスイッチを実現することができるという作用を有する。
【００２４】
請求項４に記載の発明は、受信装置が遠隔操作信号を受信すると、制御装置がこれを検出し、請求項３記載のスイッチの形状記憶部材へ電力を印加して、スイッチの電気的接離を行うようにして電子機器を構成したものであり、省電力化・消音化が図れ、オートＯＦＦ操作が可能な電子機器を実現することができるという作用を有する。
【００２５】
【発明の実施の形態】
以下、本発明の実施の形態について、図１〜図５を用いて説明する。
【００２６】
（実施の形態）
図１は本発明の一実施の形態によるロック機構及びこれを用いたスイッチの断面図、図２は同分解斜視図であり、同図において、２１は絶縁樹脂製で上面開口の箱型のケース、２２はこのケース２１の内底面に植設された銅合金等の共通接点、２３は同じく固定接点で、共通接点２２上部には弾性金属薄板製の可動接点２４が、ばね部２４Ａをやや撓めた状態で揺動可能に係止されて、スイッチ接点３１が形成されている。
【００２７】
また、２５はケース２１内に移動可能に収納された作動体で、操作部２５Ａがケース２１右側面から突出すると共に、この操作部２５Ａ内にはケース２１側面との間でやや撓んだ状態のコイル状のばね２６が装着され、このばね２６によって作動体２５が右方向へ付勢されている。
【００２８】
そして、２７は金属線製で略コの字状のストッパで、ケース２１に回動可能に保持された右端がばね２６に押圧されることによって、左端が作動体２５上面に設けられた略ハート形のカム２５Ｂに弾接している。
【００２９】
さらに、２８は線状でニッケル・チタン合金等の形状記憶部材で、略Ｍ字状に形成された中間の折曲部２８Ａが、ストッパ２７下面のカム２５Ｂとの間に配置されてロック機構３２が形成されている。
【００３０】
そして、これらスイッチ接点３１や作動体２５等のロック機構３２を収納したケース２１上面を、カバー２９が覆ってスイッチ３３が構成されている。
【００３１】
また、このように構成されたスイッチ３３は、図３のブロック図に示すように、半田付け等によって、共通接点２２と固定接点２３の、ケース２１底面から突出した端子部２２Ａと２３Ａが電子機器の電源回路（図示せず）に、形状記憶部材２８両端の端子部２８Ｂが、受信装置３５Ａに接続された制御装置３５Ｂ等に電気的に接続されて、電子機器３５が構成される。
【００３２】
以上の構成において、作動体２５の操作部２５Ａを手で押圧操作すると、図４の断面図に示すように、作動体２５がケース２１内を左方向へ移動し、この下面が可動接点２４を押圧するため、可動接点２４が揺動して固定接点２３に接触し、可動接点２４を介して共通接点２２と固定接点２３が電気的に接続されて、機器の電源がＯＮとなる。
【００３３】
また、この時、ストッパ２７の左端も作動体２５上面の略ハート形のカム２５Ｂ内を弾接摺動し、作動体２５がコイル状のばね２６を撓めながら所定距離まで移動すると、略ハート形のカム２５Ｂにストッパ２７左端が噛合し、その位置で作動体２５がロックされ、電源ＯＮの状態が保持される。
【００３４】
そして、再度、操作部２５Ａを押圧操作すると、ストッパ２７がカム２５Ｂから外れてロックが解除されるため、作動体２５がばね２６に付勢されて図１の状態に戻り、可動接点２４も固定接点２３から離れて、機器の電源がＯＦＦとなる。
【００３５】
また、このような手動操作に加え、図４の作動体２５がロックされた電源ＯＮの状態から、図３に示すように、リモコン送信機３６によって電源ＯＦＦの遠隔操作が行われた場合には、機器の受信装置３５Ａがこのリモコン送信機からの遠隔操作信号を受信し、制御装置３５Ｂがこれを検出して、端子部２８Ｂから所定時間、形状記憶部材２８へ電力が印加される。
【００３６】
そして、この通電によって、形状記憶部材２８が加熱され硬化・収縮するため、図５（ａ）の部分斜視図に示すように、ストッパ２７下面と略ハート形のカム２５Ｂとの間に配置され、略Ｍ字状に折曲された形状記憶部材２８中間の折曲部２８Ａが、図５（ｂ）に示すように、直線に近い状態に収縮する。
【００３７】
これによって、この直線状に収縮した折曲部２８Ａがストッパ２７を下面から押圧するため、ストッパ２７左端が上方へ持ち上げられ、図５（ｃ）に示すように、ストッパ２７の左端が作動体２５上面の略ハート形のカム２５Ｂから外れて、ロックが解除されるため、作動体２５がばね２６に付勢されて図１の状態に戻り、可動接点２４も固定接点２３から離れて、機器の電源がＯＦＦとなる。
【００３８】
なお、この時、形状記憶部材２８の折曲部２８Ａを直線状に収縮させるための電圧は５Ｖ以下、電流も０．５Ａ以下ですむため、小さな電力で電源のオートＯＦＦ操作が可能になると共に、手動操作の場合と同様に、形状記憶部材２８によってストッパ２７をカム２５Ｂから外すだけであるため、特に大きな音等の発生もなく操作を行うことができる。
【００３９】
以上のように、手動操作によって電源のＯＮ／ＯＦＦを切換えることに加え、リモコン送信機を用いた遠隔操作によって、機器の電源のオートＯＦＦが行われるように構成されている。
【００４０】
このように本実施の形態によれば、カム２５Ｂに噛合して作動体２５をロックさせるストッパ２７を、形状記憶部材２８を用いてカム２５Ｂとは逆方向へ付勢して、ロックを解除するようにロック機構３２を構成することによって、小さな電力でも電源のオートＯＦＦ操作が可能で、省電力化・消音化が図れるロック機構及びこれを用いたスイッチと電子機器を得ることができるものである。
【００４１】
また、形状記憶部材２８を線状に形成し、これをカム２５Ｂとストッパ２７の間に配置することによって、形状記憶部材２８を簡素な形状で形成できるため、組立も容易で安価にロック機構を構成することができる。
【００４２】
なお、以上の説明では、作動体２５をケース２１内に移動可能に収納し、作動体２５の押圧操作によって、ストッパ２７がカム２５Ｂに噛合して作動体２５をロックさせるロック機構３２について説明したが、作動体を略円盤状に形成すると共に、この作動体を回転させ、所定角度回転した時に作動体のカムにストッパを噛合させ、このストッパを形状記憶部材で付勢する構成等、他のロック機構においても本発明の実施は可能である。
【００４３】
また、共通接点２２上部に係止された可動接点２４を揺動させ、可動接点２４を介して共通接点２２と固定接点２３の電気的接離を行うスイッチ接点３１について説明したが、中央の共通接点外周に馬蹄型の固定接点を形成し、この固定接点上に略ドーム状の可動接点を載置する構成等、様々なスイッチ接点においても実施が可能である。
【００４４】
【発明の効果】
以上のように本発明によれば、省電力化・消音化が図れるロック機構、及びこれを用いたスイッチと電子機器を実現することができるという有利な効果が得られる。
【図面の簡単な説明】
【図１】本発明の一実施の形態によるロック機構及びこれを用いたスイッチの断面図
【図２】同分解斜視図
【図３】同電子機器のブロック図
【図４】同押圧操作時の断面図
【図５】同部分斜視図
【図６】従来のスイッチの断面図
【符号の説明】
２１  ケース
２２  共通接点
２２Ａ、２３Ａ  端子部
２３  固定接点
２４  可動接点
２４Ａ  ばね部
２５  作動体
２５Ａ  操作部
２５Ｂ  カム
２６  ばね
２７  ストッパ
２８  形状記憶部材
２８Ａ  折曲部
２８Ｂ  端子部
２９  カバー
３１  スイッチ接点
３２  ロック機構
３３  スイッチ
３５  電子機器
３５Ａ  受信装置
３５Ｂ  制御装置
３６  リモコン送信機
【図１】
2004327384.tif 000003
【図２】
2004327384.tif 000004
【図３】
2004327384.tif 000005
【図４】
2004327384.tif 000006
【図５】
2004327384.tif 000007
【図６】
2004327384.tif 000008